(57)【要約】      （修正有）【課題】通常のマスクを利用可能とし、会食時に、都度マスクの着脱を行わないで済む、マスク支持具を提供する。【解決手段】マスク支持具は、持ち手部１と、左フレーム部２と、右フレーム部３を備え、左フレーム部２は、左上フック４と左中フック５と左下フック６を備え、右フレーム部３は、右上フック７と右中フック８と右下フック９を備える。【選択図】図１
0003232758.tif 000002
【実用新案登録請求の範囲】
【請求項１】
持ち手部（１）と、
前記持ち手部（１）の上端部から左方に延在する左フレーム部（２）と、
前記持ち手部（１）の上端部から右方に延在する右フレーム部（３）を備え、
前記左フレーム部（２）は、左上フック（４）と左中フック（５）と左下フック（６）を備え、
前記右フレーム部（３）は、右上フック（７）と右中フック（８）と右下フック（９）を備えることを特徴とするマスク支持具。
【請求項２】
前記持ち手部（１）の下端部に、台座部（１０）が着脱自在に設けられていることを特徴とする請求項１に記載のマスク支持具。
【請求項３】
前記左フレーム部（２）は、
前記持ち手部（１）の上端部から左上方に向かって延在する左曲線部（１１）と、
前記左曲線部（１１）の終端部から垂直方向上方に向かって延在する左直線部（１２）を備え、
前記右フレーム部（３）は、
前記持ち手部（１）の上端部から右上方に向かって延在する右曲線部（１３）と、
前記右曲線部（１３）の終端部から垂直方向上方に向かって延在する右直線部（１４）を備えていることを特徴とする請求項１又は２に記載のマスク支持具。
【請求項４】
前記左上フック（４）及び前記右上フック（７）は、それぞれ上方が開放している略鉤型形状であり、
前記左中フック（５）及び前記右中フック（８）は、それぞれ略Ｔ字型を９０度回転させた形状であり、
前記左下フック（６）及び前記右下フック（９）は、それぞれ下方が開放している略鉤型形状であることを特徴とする請求項１乃至３のいずれかに記載のマスク支持具。
【請求項５】
前記持ち手部（１）の幅方向の中心位置を垂直方向に通過する直線を対称の軸として、線対称であることを特徴とする請求項１乃至４のいずれかに記載のマスク支持具。
【請求項６】
前記持ち手部（１）は、平板状に形成されていることを特徴とする請求項１乃至５のいずれかに記載のマスク支持具。
【請求項７】
前記持ち手部（１）の上部に小孔（１７）が設けられていることを特徴とする請求項１乃至６のいずれかに記載のマスク支持具。
【考案の詳細な説明】
【技術分野】
【０００１】
本考案は、マスクを支持するマスク支持具に関する。具体的には、通常の形態のマスクを顔に装着することなく、手に持って鼻及び口を覆い隠すことを可能にするマスク支持具に関する。
【背景技術】
【０００２】
昨今の新型コロナウイルス感染症（ＣＯＶＩＤ−１９）の感染拡大により、新型コロナウイルス感染症を他人に感染させるのを防止するため、及び自己が感染するのを防止するために、マスクを装着することが推奨されている。
しかしながら、マスクの長時間の装着は、マスクのゴム紐が掛けられる耳の部分に痛みが生じたり、マスク本体が接触する部分の肌が荒れたりする等の弊害が発生することがある。
また、新型コロナウイルス感染症は、特に会食時に感染が拡大する傾向があるという各種の報告がなされている。そこで、会食時にも原則としてマスクを装着し、飲食物を口に運ぶ時に限ってマスクを外すといった会食スタイルも推奨されつつある。しかし、このような会食スタイルは、都度マスクを着脱しなければならず煩雑であり、また、そのような会食スタイルに慣れていないことも手伝って、当該会食スタイルは受け入れられ難いものとなっている。
【０００３】
そこで、マスクを装着したまま飲食等を行うことができるマスクが開発されている（特許文献１）。
しかしながら、このようなマスクは、装着したまま飲食等を可能とするものであり、略矩形状のマスク本体部とマスク本体部の左右に設けられたゴム紐部からなる通常の形態のマスクとは異なり、その構造は複雑であり、通常の形態のマスクを利用することができない。
【０００４】
また、都度のマスクの脱着を不要とする、手に持って鼻及び口を覆い隠す、所謂、「ハンドマスク」なるマスクが普及しつつある（特許文献２）。このようなハンドマスクは、マスク自体に持ち手部を設けたものであるため、通常の形態のマスクとは異なり、特殊な形態のマスクである。つまり、通常の形態のマスクは利用できない。
【先行技術文献】
【特許文献】
【０００５】
【特許文献１】実用新案登録第３２３１０６２号公報
【０００６】
【特許文献２】実用新案登録第３２３１５４２号公報
【考案の概要】
【考案が解決しようとする課題】
【０００７】
そこで、本考案の目的は、従来の通常の形態のマスクを利用可能とし、会食等の際に、その都度マスクの着脱を行わないで済む、手に持って鼻及び口を覆い隠すことを可能にするマスク支持具を提供することである。
【課題を解決するための手段】
【０００８】
上記目的を達成するために本考案のマスク支持具は、持ち手部（１）と、前記持ち手部（１）の上端部から左方に延在する左フレーム部（２）と、前記持ち手部（１）の上端部から右方に延在する右フレーム部（３）を備え、前記左フレーム部（２）は、左上フック（４）と左中フック（５）と左下フック（６）を備え、前記右フレーム部（３）は、右上フック（７）と右中フック（８）と右下フック（９）を備えることを特徴とする。
【０００９】
また、本考案のマスク支持具は、好ましくは、前記持ち手部（１）の下端部に、台座部（１０）が着脱自在に設けられていることを特徴とする。
【００１０】
また、本考案のマスク支持具は、好ましくは、前記左フレーム部（２）は、前記持ち手部（１）の上端部から左上方に向かって延在する左曲線部（１１）と、前記左曲線部（１１）の終端部から垂直方向上方に向かって延在する左直線部（１２）を備え、前記右フレーム部（３）は、前記持ち手部（１）の上端部から右上方に向かって延在する右曲線部（１３）と、前記右曲線部（１３）の終端部から垂直方向上方に向かって延在する右直線部（１４）を備えていることを特徴とする。
【００１１】
また、本考案のマスク支持具は、好ましくは、前記左上フック（４）及び前記右上フック（７）は、それぞれ上方が開放している略鉤型形状であり、前記左中フック（５）及び前記右中フック（８）は、それぞれ略Ｔ字型を９０度回転させた形状であり、前記左下フック（６）及び前記右下フック（９）は、それぞれ下方が開放している略鉤型形状であることを特徴とする。
【００１２】
また、本考案のマスク支持具は、好ましくは、前記持ち手部（１）の幅方向の中心位置を垂直方向に通過する直線を対称の軸として、線対称であることを特徴とする。
【００１３】
また、本考案のマスク支持具は、好ましくは、前記持ち手部（１）は、平板状に形成されていることを特徴とする。
【００１４】
また、本考案のマスク支持具は、好ましくは、前記持ち手部（１）の上部に小孔（１７）が設けられていることを特徴とする。
【考案の効果】
【００１５】
本考案によれば、持ち手部の左右にフレーム部を設け、各フレーム部には、上フック、中フック及び下フックを設けたことにより、大きさや形状が異なる様々なマスクでも支持することができる。
【００１６】
また、本考案の好ましい態様によれば、台座部を設けたことから、マスク不使用時には、マスクを支持しているマスク支持具を自立させることができるので、マスクを例えば、テーブル上に載置しなくて済むため、マスク自体及びテーブルを衛生的に保つことが可能となる。
【００１７】
また、本考案の好ましい態様によれば、左右のフレーム部に、それぞれ直線部を設けたことからマスクを弛まないように支持することができ、また、それぞれ曲線部を設けたことから、フレーム部を可撓性素材で製造した場合には、直線部を内方及び外方に撓ませ易くなり、幅方向の寸法が大きいマスクでも小さいマスクでもより確実に支持することができる。
【００１８】
また、本考案の好ましい態様によれば、フレーム部に設けられた各フックを所定の形状としたことにより、支持するマスクのゴム紐をより確実に掛止することができる。
【００１９】
また、本考案の好ましい態様によれば、マスク支持具を線対称の形状としたことから、マスクをより確実に左右均一に支持することができる。
【００２０】
また、本考案の好ましい態様によれば、持ち手部を平板状に形成したことから、当該平板部に文字等を表示させることができる。
【００２１】
また、本考案の好ましい態様によれば、持ち手部に小孔を設けたことから、例えば、首から掛けるストラップ等をマスク支持具に装着することができる。
【図面の簡単な説明】
【００２２】
【図１】図１は、本考案のマスク支持具の好ましい態様の一例を示す正面図である。
【図２】図２は、本考案のマスク支持具の好ましい態様の使用例の一例を示す正面図である。
【図３】図３は、本考案の持ち手部の好ましい態様の一例を示す部分拡大図である。
【図４Ａ】図４Ａは、本考案の台座部の好ましい態様の一例を示す平面図である。
【図４Ｂ】図４Ｂは、本考案の台座部の好ましい態様の一例を示す正面図である。
【図４Ｃ】図４Ｃは、本考案の台座部の好ましい態様の一例を示す側面図である。
【図４Ｄ】図４Ｄは、本考案の台座部の好ましい態様の一例を示す底面図である。
【図５】図５は、本考案の台座部の好ましい態様の一例を示す底面図である。
【考案を実施するための形態】
【００２３】
以下、本考案のマスク支持具について図面を参照しながら説明する。なお、実施形態を説明する全図において、共通の構成要素には同一の符号を付し、繰り返しの説明を省略する。
【００２４】
図１は、本考案の実施形態に係るマスク支持具を示す正面図である。
【００２５】
図１に示すように、本考案のマスク支持具は、持ち手部１と、持ち手部１の上端部から左方に延在する左フレーム部２と、持ち手部１の上端部から右方に延在する右フレーム部３を備え、左フレーム部２は、左上フック４と左中フック５と左下フック６を備え、右フレーム部３は、右上フック７と右中フック８と右下フック９を備えている。
【００２６】
持ち手部１は、マスクを利用する際に、マスク利用者が手で把持する部分である。持ち手部１は、例えば、高さ５〜１０ｃｍ、幅１〜３ｃｍとすることが望ましい。この程度の寸法とすることにより、手で把持することが容易となる。
【００２７】
持ち手部１、左フレーム部２、右フレーム部３、左上フック４、左中フック５、左下フック６、右上フック７、右中フック８及び右下フック９は、例えば、金型を利用して一体的に成形することができる。また、持ち手部１、左フレーム部２、右フレーム部３、左上フック４、左中フック５、左下フック６、右上フック７、右中フック８及び右下フック９は、例えば、断面が円形、楕円形又は矩形となるように形成することができる。
【００２８】
持ち手部１、左フレーム部２、右フレーム部３、左上フック４、左中フック５、左下フック６、右上フック７、右中フック８及び右下フック９の素材は、限定されるものではないが、例えば、可撓性を有する樹脂性素材を用いることができる。
【００２９】
このように、持ち手部１の左右に、それぞれ左フレーム部２及び右フレーム部３を設け、左フレーム部２には、左上フック４、左中フック５及び左下フック６を設け、右フレーム３には、右上フック７、右中フック８及び右下フック９を設けたことにより、大きさや形状が異なる様々なマスクでも支持することができる。
具体的には、例えば、図２に示すように、まずマスクのゴム紐を左上フック４、左下フック６、右上フック７及び右下フック９に引っ掛けることにより、マスクを支持する。これだけだと、一般的には、マスクのゴム紐が長過ぎるため、マスクが弛んで下方に垂れ下がってしまう。そのため、長過ぎて余ったゴム紐をさらに左中フック５及び右中フック８に巻き付けることでマスクを弛むことなく支持することが可能となる。
図２では、マスク本体部の高さ寸法が、左上フック４と左下フック６との間の距離、又は右上フック７と右下フック９との間の距離と略等しいが、マスク本体部の高さ寸法が、左上フック４と左下フック６との間の距離、又は右上フック７と右下フック９との間の距離よりも顕著に小さい場合には、まずマスクのゴム紐を左上フック４、左中フック５、右上フック７及び右中フック８に引っ掛け、余ったゴム紐を左上フック４、左中フック５、右上フック７及び右中フック８に巻き付けるようにしてマスクを支持することもでき、同様に、まずマスクのゴム紐を左中フック５、左下フック６、右中フック８及び右下フック９に引っ掛け、余ったゴム紐を左中フック５、左下フック６、右中フック８及び右下フック９に巻き付けるようにしてマスクを支持することもできる。
したがって、本考案のマスク支持具は、マスク本体部の高さ寸法の大小にかかわらず、マスクが弛んで下に垂れ下がってしまうことなくマスクを支持することができる。
【００３０】
図２に示すように、本考案の好ましい態様では、持ち手部１の下端部に、台座部１０が着脱自在に設けられている。台座部１０も、例えば、金型を用いて成形することができ、その素材として、樹脂性素材を用いることができる。台座部１０は、例えば、図２及び図４に示すように、円盤部１５と円盤部１５の上面中心部から垂直に突出する突出部１６を備えることができる。具体的には、例えば、突出部１６は、平行する２枚の板状部材からなり、平面視にて、板状部材の両端は、対向する板状部材方向に湾曲し、また、その湾曲部の下部が対向する板状部材方向に隆起している。
【００３１】
持ち手部１と台座部１０との取付けは、例えば、持ち手部１の下端部を台座部１０の突出部１６の２枚の板状部材の間に差し込むように勘合させて取り付けることができる。これにより、持ち手部１と台座部１０とを着脱自在に設けることができ、所望により、台座部１０を持ち手部１に取り付けたり、取り外したりすることができる。
【００３２】
このように、台座部１０を設けることにより、マスク不使用時には、マスクを支持しているマスク支持具を自立させることができるので、マスクを例えば、テーブル上に載置しなくて済むため、マスク自体及びテーブルを衛生的に保つことが可能となる。
【００３３】
台座部１０には、好ましくは、図５に示すように、例えば、複数の磁石等の重り１８となるものを取り付けておくことが望ましい。これにより、マスク支持具の重心を下げることができ、マスク支持具をより安定して自立させることができる。
【００３４】
本考案の好ましい態様では、図１及び図２に示すように、左フレーム部２は、持ち手部１の上端部から左上方に向かって延在する左曲線部１１と、左曲線部１１の終端部から垂直方向上方に向かって延在する左直線部１２を備え、右フレーム部３は、持ち手部１の上端部から右上方に向かって延在する右曲線部１３と、右曲線部１３の終端部から垂直方向上方に向かって延在する右直線部１４を備えている。左直線部１２には、左上フック４、左中フック５及び左下フック６が形成され、右直線部１４には、右上フック７、右中フック８及び右下フック９が形成されている。
【００３５】
左フレーム部２及び右フレーム部３に、それぞれ左直線部１２及び右直線部１４を設けたことからマスクを弛まないように支持することができ、また、それぞれ左曲線部１１及び右曲線部１３を設けたことから、左フレーム部２及び右フレーム部３を可撓性素材で製造した場合には、左直線部１２及び右直線部１４を内方及び外方に撓ませ易くなり、幅方向の寸法が大きいマスクでも小さいマスクでも確実に支持することができる。
【００３６】
左上フック４と左下フック６との間の距離及び右上フック７と右下フック９との間の距離は、例えば、それぞれ７〜１２ｃｍとすることができる。また、左直線部１２及び右直線部１４の間の距離は、例えば、１５〜２０ｃｍとすることができる。このような寸法とすることにより、マスクを弛むことなく適切に支持することがより一層確実となる。
【００３７】
本考案の好ましい態様では、図１及び図２に示すように、左上フック４及び右上フック７は、それぞれ上方が開放している略鉤型形状であり、左中フック５及び右中フック８は、それぞれ略Ｔ字型を９０度回転させた形状であり、左下フック６及び右下フック９は、それぞれ下方が開放している略鉤型形状であることが望ましい。
【００３８】
各フックを上述した好ましい形状とすることにより、支持するマスクのゴム紐をより一層確実に掛止することができる。また、左下フック６及び右下フック９にストラップを掛止し、そのストラップを首から掛けることにより、支持具を首から掛けることも可能である。
【００３９】
本考案の好ましい態様では、図１及び図２に示すように、持ち手部１の幅方向の中心位置を垂直方向に通過する直線を対称の軸として、線対称であることが望ましい。
【００４０】
このようにマスク支持具を線対称の形状としたことから、マスクをより一層左右均一に支持することができる。
【００４１】
本考案の好ましい態様では、図１乃至図３に示すように、持ち手部１は、平板状に形成されることが望ましい。このように持ち手部１を平板状に形成することで、当該平板部に文字や図形を表示、例えば、企業広告やキャンペーン内容を表示したシールを貼付する等をすることができ、広告等の役目をさせることができる。
【００４２】
本考案の好ましい態様では、図１乃至図３に示すように、持ち手部１の上部に小孔１７を設けることが望ましい。このように、持ち手部に小孔１７を設けたことから、例えば、首から掛けるストラップ等をマスク支持具に装着することができ、マスク不使用時には、マスク支持具を首から掛けておくことができる。
【００４３】
以上のように、本考案のマスク支持具によれば、左フレーム部２及び右フレーム部３に設けられた各フックに、マスクゴム紐を掛けることで、通常の形態のマスクを弛むことなく支持することができ、持ち手部１を持って、マスク本体部で鼻及び口を覆い隠すようにすれば、有効に衛生マスクとしての機能を発揮させることができ、会食時等、マスクの着脱を都度行わなくても感染防止対策を取ることが可能となる。また、本考案のマスク支持具によれば、マスクを顔に装着せずに、鼻及び口を覆い隠すことができるため、マスクを顔に装着する際の耳の痛みや肌の荒れを防止することができる。
【符号の説明】
【００４４】
１    持ち手部
２    左フレーム部
３    右フレーム部
４    左上フック
５    左中フック
６    左下フック
７    右上フック
８    右中フック
９    右下フック
１０  台座部
１１  左曲線部
１２  左直線部
１３  右曲線部
１４  右直線部
１５  円盤部
１６  突出部
１７  小孔
１８  重り
【図１】
0003232758.tif 000003
【図２】
0003232758.tif 000004
【図３】
0003232758.tif 000005
【図４】
0003232758.tif 000006
【図５】
0003232758.tif 000007